(57)【要約】【課題】作業量を増大させることなく、原稿の位置ずれ等を防止することができるイメージスキャナ装置を提供する。【解決手段】原稿を載せるガラス台１１と、原稿に表された画像をスキャンするセンサー部１２と、全開状態とガラス台１１を覆う閉状態との間で開閉可能なリッド２０と、リッド２０の状態に連動して、リッド２０が半開状態と閉状態との間の状態である場合には、原稿をガラス台１１に押し付け、リッド２０が全開状態と半開状態との間の状態である場合には、原稿をガラス台１１に押し付けない原稿保持部４０とを備える。【選択図】図１
2015125178.tif 000002
【特許請求の範囲】
【請求項１】
原稿を載せる原稿台と、
前記原稿に表された画像をスキャンするスキャン部と、
前記原稿台を開放する全開状態と前記原稿台を覆う閉状態との間で開閉可能な蓋部と、
前記蓋部の状態に連動して、前記蓋部の状態が前記閉状態と前記全開状態との間の半開状態と前記閉状態との間の状態である場合には、前記原稿を前記原稿台に押し付け、前記蓋部の状態が前記全開状態である場合には、前記原稿を前記原稿台に押し付けない原稿保持部とを備える、
イメージスキャナ装置。
【請求項２】
前記原稿台は、原稿のスキャンが可能な第一領域と、前記第一領域の周囲に設けられた原稿のスキャンを行わない第二領域とを有し、
前記原稿保持部は、前記原稿台の前記第二領域において、前記原稿の端部を前記原稿台に押し付ける、
請求項１に記載のイメージスキャナ装置。
【請求項３】
前記原稿台は、前記イメージスキャナ装置の筐体の上面に設けられた矩形状の開口を覆う部材で構成され、
前記原稿保持部は、長尺状のクリップを備え、
前記クリップは、前記原稿が前記原稿台に置かれている場合に、側面の一つが前記原稿に接触する、
請求項１または２に記載のイメージスキャナ装置。
【請求項４】
前記原稿保持部は、
前記クリップに対し前記原稿台に向けて力を加える弾性部材と、
前記蓋部が前記全開状態である場合に、前記弾性部材が加える力よりも大きな力で、前記クリップを前記原稿台から離間する方向に力を加える離間部とを備える、
請求項３に記載のイメージスキャナ装置。
【請求項５】
前記クリップは、長手方向の長さが前記原稿台の一辺の長さと同じになるように設定されている、
請求項３または４に記載のイメージスキャナ装置。
【請求項６】
前記クリップは、前記原稿台の短手方向の一辺と長手方向の一辺とに設けられている、
請求項３〜５の何れか１項に記載のイメージスキャナ装置。
【請求項７】
前記蓋部は、前記閉状態に近づくほど前記原稿台から前記イメージスキャナ装置の筐体の外側に向けて移動し、前記全開状態に近づくほど前記筐体の内側に向けて移動する移動部を備え、
前記クリップは、前記移動部が、前記全開状態に対応する位置と前記半開状態に対応する位置との間に位置するときは、前記位置に応じた距離だけ前記原稿台から離間する、
請求項３〜６の何れか１項に記載のイメージスキャナ装置。
【請求項８】
前記蓋部は、前記原稿台の外側に位置する基点を中心として回転動作するように構成され、
前記移動部は、前記蓋部の端部であって、前記基点に対し前記原稿台とは反対側の端部に設けられている、
請求項７に記載のイメージスキャナ装置。
【請求項９】
前記原稿保持部は、前記原稿の端部に接触することにより、前記原稿の位置を規制するガイド部を有する
請求項１〜８の何れか１項に記載のイメージスキャナ装置。
【請求項１０】
前記蓋部は、前記イメージスキャナ装置から着脱可能に構成され、
前記原稿保持部は、前記蓋部が前記イメージスキャナ装置から取り外された場合に、前記原稿の前記原稿台への押し付けおよび前記押し付けの解除を手動で操作するための操作部を備える
請求項１〜９の何れか１項に記載のイメージスキャナ装置。
【発明の詳細な説明】
【技術分野】
【０００１】
本発明は、イメージスキャナ装置に関する。
【背景技術】
【０００２】
複写機、スキャナ、あるいは、これらの機能を複数備えた複合機等の画像処理装置は、原稿に表された画像をスキャンするイメージスキャナ装置を備えている。
【０００３】
イメージスキャナ装置は、一般的に、原稿を載せるガラス台を備えた本体部と、スキャン時にガラス台および原稿を覆うリッドとを備えている。
【０００４】
なお、イメージスキャナ装置では、スキャン対象の原稿を正しい位置にセットしても、原稿が固定されていないため、リッドを閉じる際の風圧等によって、原稿の位置ずれ、あるいは、原稿の浮き等が発生し、原稿に表された画像を良好にスキャンすることができないという問題がある。
【０００５】
これに対し、従来、リッドを開けた状態で、手動でガラス台上の原稿を固定する固定部材を備えるイメージスキャナ装置が提案されている（例えば、特許文献１および特許文献２参照）。
【先行技術文献】
【特許文献】
【０００６】
【特許文献１】実開平６−３１２６９号公報
【特許文献２】特開２００５−１７８２７号公報
【発明の概要】
【発明が解決しようとする課題】
【０００７】
しかしながら、上記特許文献１および特許文献２のイメージスキャナ装置では、手動で原稿を固定する必要があるため、作業量が多くなるという問題がある。
【０００８】
本発明は上述の課題を解決するためになされたものであり、作業量を増大させることなく、原稿の位置ずれ等を防止することができるイメージスキャナ装置を提供することを目的とする。
【課題を解決するための手段】
【０００９】
上記目的を達成するために、本発明の一態様に係るイメージスキャナ装置は、原稿を載せる原稿台と、前記原稿に表された画像をスキャンするスキャン部と、前記原稿台を開放する全開状態と前記原稿台を覆う閉状態との間で開閉可能な蓋部と、前記蓋部の状態に連動して、前記蓋部の状態が前記閉状態と前記全開状態との間の半開状態と前記閉状態との間の状態である場合には、前記原稿を前記原稿台に押し付け、前記蓋部の状態が前記全開状態である場合には、前記原稿を前記原稿台に押し付けない原稿保持部とを備える。
【００１０】
上記構成のイメージスキャナ装置は、蓋（リッド）の状態に連動して、自動的に原稿を原稿台に押し付けて固定する、あるいは、原稿の固定を解除する（原稿を原稿台に押し付けない）ことができるので、原稿の固定に関する作業量を低減できる。言い換えると、上記構成のイメージスキャナ装置は、原稿の固定を行う機構を備えないイメージスキャナ装置と同じ作業量で、原稿の固定を良好に行うことが可能になる。
【００１１】
また、一般的な複合機等では、閉状態（閉塞状態）、半開状態、全開状態（全開放状態）の３段階の角度でリッドが保持される。上記構成のイメージスキャナ装置は、半開状態〜閉状態では原稿を保持し、全開状態では原稿の固定を解除するので、リッドの状態と原稿保持部の動作とを認識し易い。
【００１２】
また、前記原稿台は、原稿のスキャンが可能な第一領域と、前記第一領域の周囲に設けられた原稿のスキャンを行わない第二領域とを有し、前記原稿保持部は、前記原稿台の前記第二領域において、前記原稿の端部を前記原稿台に押し付けても良い。
【００１３】
上記構成のイメージスキャナ装置は、原稿のスキャンを行わない第二領域に原稿の端部を原稿台に押し付けて原稿を固定するので、原稿保持部によるスキャンへの影響を無くすことが可能になる。
【００１４】
また、前記原稿台は、前記イメージスキャナ装置の筐体の上面に設けられた矩形状の開口を覆う部材で構成され、前記原稿保持部は、長尺状のクリップを備え、前記クリップは、前記原稿が前記原稿台に置かれている場合に、側面の一つが前記原稿に接触しても良い。
【００１５】
上記構成のイメージスキャナ装置は、長尺状のクリップを備えるので、原稿の端部を原稿台に押し付けることが可能になる。
【００１６】
また、前記原稿保持部は、前記クリップに対し前記原稿台に向けて力を加える弾性部材と、前記蓋部が前記全開状態である場合に、前記弾性部材が加える力よりも大きな力で、前記クリップを前記原稿台から離間する方向に力を加える離間部とを備えても良い。
【００１７】
上記構成のイメージスキャナ装置では、クリップに対して、弾性部材により原稿台に向かう力が加えられる。さらに、全開状態の場合には、クリップに対して、蓋部により原稿台から離間させる方向の力が加えられる。蓋部により加えられる力は、弾性部材により加えられる力よりも大きい。これにより、全開状態の場合には、原稿の固定が解除され、半開状態〜閉状態の間では、原稿が固定されることになる。
【００１８】
つまり、上記構成のイメージスキャナ装置は、簡単な機械的構成で、全開状態では原稿の押し付けを行わず、閉状態〜半開状態の場合に、原稿を原稿台に押し付けて固定することができる。
【００１９】
また、前記クリップは、長手方向の長さが前記原稿台の一辺の長さと同じになるように設定されていても良い。
【００２０】
上記構成のイメージスキャナ装置は、クリップの長さが原稿台と同じであるため、原稿を固定できる位置の自由度を高めることができる。なお、原稿台と同じ長さとは、完全に一致する長さだけでなく、数ｍｍ程度の誤差を含む。より詳細には、原稿台の長手方向と短手方向との２辺にクリップを設ける場合は、クリップ同士が重なる部分を除く長さとなってもよい。
【００２１】
また、前記クリップは、前記原稿台の短手方向の一辺と長手方向の一辺とに設けられていても良い。
【００２２】
上記構成のイメージスキャナ装置は、原稿台の長手方向と短手方向との２辺にクリップを設けるので、原稿を固定できる位置の自由度を高めることができる。
【００２３】
また、前記蓋部は、前記閉状態に近づくほど前記原稿台から前記イメージスキャナ装置の筐体の外側に向けて移動し、前記全開状態に近づくほど前記筐体の内側に向けて移動する移動部を備え、前記クリップは、前記移動部が、前記全開状態に対応する位置と前記半開状態に対応する位置との間に位置するときは、前記位置に応じた距離だけ前記原稿台から離間しても良い。
【００２４】
上記構成のイメージスキャナ装置は、蓋部の動作に連動して、クリップを原稿台から離間させることができる。
【００２５】
また、前記蓋部は、前記原稿台の外側に位置する基点を中心として回転動作するように構成され、前記移動部は、前記蓋部の端部であって、前記基点に対し前記原稿台とは反対側の端部に設けられていても良い。
【００２６】
上記構成のイメージスキャナ装置は、一般的な蓋部の構成を利用し、蓋部の端部に移動部を設けるという単純な構成で、クリップとの連動を行うことができる。
【００２７】
また、前記原稿保持部は、前記原稿の端部に接触することにより、前記原稿の位置を規制するガイド部を有しても良い。
【００２８】
上記構成のイメージスキャナ装置は、原稿保持部（例えば、クリップ）をガイドとして用いることができる。つまり、上記構成のイメージスキャナ装置は、クリップを備える場合は、当該クリップを、原稿を押さえるための部材としてではなく、原稿の位置決めを行うための部材としても利用可能である。クリップを原稿の位置決めを行うための部材として利用する場合は、例えば、クリップを、原稿を押えずに、原稿台に直接押し付けた状態にして（クリップを閉状態にして）利用する。
【００２９】
ここで、クリップによる原稿の端部の固定を、原稿のスキャンを行わない第二領域で行うように構成した場合を考える。この場合、閉じ状態におけるクリップを、例えば、第二領域に配置し、原稿の端部が原稿のスキャンを行う第一領域内に位置決めできるように設定することが可能になる。この場合には、上記構成のイメージスキャナ装置は、クリップを原稿の位置決めを行うための部材として使用している時には、原稿全体をスキャンが行われる第一領域に置くことが可能になる。
【００３０】
また、前記蓋部は、前記イメージスキャナ装置から着脱可能に構成され、前記原稿保持部は、前記蓋部が前記イメージスキャナ装置から取り外された場合に、前記原稿の前記原稿台への押し付けおよび前記押し付けの解除を手動で操作するための操作部を備えても良い。
【００３１】
上記構成のイメージスキャナ装置は、例えば、蓋部を取り外した場合に、手動により、クリップによる原稿の固定および解除を行うことが可能になる。
【発明の効果】
【００３２】
本発明によると、作業量を増大させることなく、原稿の位置ずれ等を防止することができるイメージスキャナ装置を提供することができる。
【図面の簡単な説明】
【００３３】
【図１】実施の形態のイメージスキャナ装置（全開状態）を備えた複合機の一例を示す外観図である。
【図２】全開状態の複合機の内部状態を説明するための図である。
【図３】全開状態の複合機における図１のＡＡ’断面を示す断面図である。
【図４】全開状態の複合機を図１のＺ軸方向からみた図である。
【図５】半開状態の複合機の内部状態を説明するための図である。
【図６】半開状態の複合機における図１のＡＡ’断面を示す断面図である。
【図７】閉状態の複合機の内部状態を説明するための図である。
【図８】閉状態の複合機における図１のＡＡ’断面を示す断面図である。
【図９】閉状態の複合機を図１のＺ軸方向からみた図である。
【図１０】リッドを取りはずした状態の複合機を図１のＺ軸方向からみた図である。
【図１１Ａ】原稿押え部の他の一例を示す図である。
【図１１Ｂ】原稿押え部の他の一例を示す図である。
【発明を実施するための形態】
【００３４】
以下、本発明の実施の形態について、図面を用いて詳細に説明する。なお、各図は、必ずしも各寸法あるいは各寸法比等を厳密に図示したものではない。
【００３５】
また、以下で説明する実施の形態は、いずれも本発明の好ましい一具体例を示すものである。以下の実施の形態で示される数値、形状、材料、構成要素、構成要素の配置位置及び接続形態、ステップ、ステップの順序などは、一例であり、本発明を限定する主旨ではない。本発明は、特許請求の範囲によって特定される。よって、以下の実施の形態における構成要素のうち、独立請求項に記載されていない構成要素については、本発明の課題を達成するのに必ずしも必要ではないが、より好ましい形態を構成するものとして説明される。
【００３６】
本実施の形態のイメージスキャナ装置について、図１〜図１０を基に説明する。
【００３７】
本実施の形態では、イメージスキャナ装置は、原稿に表された内容を画像としてスキャンするスキャナである場合を例に説明する。当該スキャナは、本実施の形態では、複合機に設けられたＣＩＳ（Ｃｏｎｔａｃｔ  Ｉｍａｇｅ  Ｓｅｎｓｏｒ）方式のスキャナである場合を例に説明する。
【００３８】
［１−１．イメージスキャナ装置の構成］
図１は、本実施の形態のイメージスキャナ装置（全開状態でのイメージスキャナ装置）を備えた複合機１の一例を示す外観図である。図２は、複合機１の構成を説明するための図であり、図１の複合機１をＹ軸の負の方向からみた図である。図３は、図１のＡＡ’断面を示す断面図である。図４は、図１の複合機１をＺ軸方向からみた図である。
【００３９】
図１に示すように、複合機１は、本体部１０と、リッド２０と、リッド角度保持機構３０と、原稿保持部４０とを備えている。
【００４０】
本体部１０は、ガラス台１１と、イメージスキャナ機構（センサー部１２を含む機構）とを備えている。
【００４１】
ガラス台１１は、原稿を載せる原稿台の一例であり、本体部１０の筐体の上面に設けられた矩形状の開口を覆うように構成されている。なお、図示しないが、筐体には、ガラス台１１の上辺および左辺に接する部分に、原稿をセットする位置を示すガイド表示が設けられている。なお、本実施の形態において、原稿をセットするとは、原稿をガラス台１１に載せ、且つ、スキャンするための位置に原稿を位置決めした状態を示す。
【００４２】
また、図３に示すように、ガラス台１１には、原稿に表された画像をスキャンすることが可能なスキャン可能エリア（第一領域）と、原稿に表された画像をスキャンすることができないスキャン不可エリア（第二領域）とが設定されている。スキャン不可エリアは、本実施の形態では、ガラス台１１の上辺（リッド２０を本体部１０に接続するヒンジが取り付けられている側）の端と、ガラス台１１の左辺の端に設けられている。スキャン不可エリアは、例えば、幅が数ｍｍ程度の長尺状の領域である。
【００４３】
イメージスキャナ機構は、筐体の内側から原稿に光を当てる光源（図示せず）と、原稿からの反射光を受光するセンサー部１２と、センサー部１２をＹ軸方向に移動させるセンサー駆動部（図示せず）を備えている。センサー部１２は、原稿に表された内容を画像としてスキャンするスキャン部の一例であり、スキャン時には、左端に設定された初期位置から右側に向けて移動しながら、反射光を受光する。
【００４４】
リッド２０は、ガラス台１１を開放する全開状態とガラス台１１を覆う閉状態との間で開閉可能な蓋部の一例であり、ガラス台１１上にセットされた原稿を押える部材である。リッド２０は、リッド２０が閉状態のときに、原稿を上側からガラス台１１に押えるクッション部材２１を備えている。また、リッド２０の端部（クッション部材２１が設けられている側とはヒンジを介して反対側の端部）には、リッド２０が全開状態と半開状態との間の状態のときに、後述するスライドレバー移動部１６を押し下げる押え部材２３が設けられている。
【００４５】
リッド角度保持機構３０は、リッド２０を、全開状態、または、全開状態と閉状態との中間の半開状態で保持する機構であり、ヒンジと一体に構成されている。全開状態は、リッド２０がガラス台１１を開放する状態である。リッド２０が全開状態にあるときは、原稿のセット、あるいは、原稿の位置の修正等が容易に行える。具体的には、本実施の形態において、全開状態は、本体部１０のガラス台１１の表面とリッド２０との角度が約６０度となる状態である。閉状態は、リッド２０がガラス台１１を閉塞する（覆う）状態である。具体的には、閉状態は、ガラス台１１の表面とリッド２０との角度が０度となる状態である。半開状態は、全開状態と閉状態の間に設定された状態である。本実施の形態において、半開状態は、ガラス台１１の表面とリッド２０との角度が約４５度となる状態である。この半開状態は、本実施の形態では、クリップ１４ｘおよび１４ｙの状態が、原稿を固定する状態と原稿の固定を解除する状態との間で切り替わる角度に対応している。
【００４６】
リッド角度保持機構３０は、図２に示すように、本体部１０に設けられたスプリング１３と、リッド２０に設けられたリッド側部材２２とを備えている。
【００４７】
スプリング１３は、先端に、後述するリッド側部材２２の切り欠き部２２ａまたは２２ｂと嵌め合うロック用部材が設けられている。スプリング１３は、当該ロック用部材がリッド側部材２２に押し付けられるように設けられている。
【００４８】
リッド側部材２２は、リッド２０に接続され、リッド２０の開き角度に応じて回転する円形の部材である。リッド側部材２２には、切り欠き部２２ａおよび２２ｂが形成されている。切り欠き部２２ａおよび２２ｂの大きさおよび形状は同じである。
【００４９】
切り欠き部２２ａの位置は、リッド２０が全開状態のときに、スプリング１３の先端に設けられたロック用部材と嵌め合う位置に設定されている。切り欠き部２２ｂの位置は、リッド２０が半開状態のときに、スプリング１３の先端に設けられたロック用部材と嵌め合う位置に設定されている。
【００５０】
つまり、リッド側部材２２の切り欠き部２２ａとロック用部材とが嵌め合うことで、リッド２０が全開状態に保持される。リッド側部材２２の切り欠き部２２ｂとロック用部材とが嵌め合うことで、リッド２０が半開状態に保持される。
【００５１】
原稿保持部４０は、リッド２０の動作に連動して、原稿の固定およびその解除を行う。具体的には、原稿保持部４０は、リッド２０の状態が半開状態と閉状態との間の状態である場合には、原稿をガラス台１１に押し付けて固定し、リッド２０の状態が全開状態である場合には、原稿をガラス台１１に押し付けない（原稿の固定の解除を行う）。本実施の形態では、原稿保持部４０は、原稿の左端を押える第一原稿保持部４０ｘと、原稿の上端を押える第二原稿保持部４０ｙとを備えている。第一原稿保持部４０ｘは、クリップ１４ｘとスライドレバー１５ｘとを備えている。第二原稿保持部４０ｙは、クリップ１４ｙとスライドレバー１５ｙとを備えている。なお、原稿保持部４０の詳細については、後述する。
【００５２】
［１−２．原稿保持部の構成の詳細］
上述したように、原稿保持部４０は、第一原稿保持部４０ｘと第二原稿保持部４０ｙとを備えているが、これらの構成はほぼ同じであるため、ここでは、第一原稿保持部４０ｘの構成について説明する。
【００５３】
図２に示すように、第一原稿保持部４０ｘは、本体部１０に設けられたクリップ１４ｘ、スライドレバー１５ｘ、スライドレバー移動部１６と、リッド２０に設けられた押え部材２３とを含んで構成されている。
【００５４】
クリップ１４ｘは、リッド２０が閉状態と半開状態との間の状態である場合に、原稿の左端部をガラス台１１に押し付ける部材である。クリップ１４ｘは、例えば、樹脂で形成されている。
【００５５】
図３に示すように、クリップ１４ｘは、スプリング１４ａと、クリップ本体部１４ｂと、原稿押え部１４ｃと、スライドレバー接触部１４ｄとを備える。クリップ１４は、Ｚ軸方向に移動可能に構成されている。より詳細には、本実施の形態では、クリップ１４は、原稿押え部１４ｃがガラス台１１に接する位置から、原稿押え部１４ｃがガラス台１１から１ｍｍ程度離れる位置まで移動可能である。
【００５６】
スプリング１４ａは、クリップ１４ｘに対しガラス台１１に向けて力を加える弾性部材の一例であり、クリップ１４ｘに対し、原稿を押える側に力を加える。スプリング１４ａは、一端が後述するスライドレバー接触部１４ｄに接続され、他端が本体部１０の天面（ガラス台１１ではない部分）の内側に接続されている。スプリング１４ａは、伸張させた状態で取り付けられる。
【００５７】
クリップ本体部１４ｂは、ＸＹ平面に平行な板状部と、後述するスライドレバー接触部１４ｄに接続する接続部とを組み合わせた構造となっている。クリップ本体部１４ｂのうち、ＸＹ平面に平行な板状部は複合機１の筐体の外側に、接続部は複合機１の筐体内にそれぞれ配置されている。
【００５８】
原稿押え部１４ｃは、長手方向（Ｘ軸方向）の長さがガラス台１１のＸ方向の長さに略等しくなるように設定された長尺状の部材である。原稿押え部１４ｃは、４つの側面の一つが原稿あるいはガラス台１１に接触可能に構成されている。原稿押え部１４ｃの原稿あるいはガラス台１１に接触可能な側面（ＸＹ平面に平行な面）の幅は、ガラス台１１に設定されたスキャン不可エリアの幅と同じか、あるいは、スキャン不可エリアの幅よりも狭くなるように設定されている。原稿押え部１４ｃの幅は、本実施の形態では、例えば、１ｍｍ程度である。
【００５９】
なお、本実施の形態では、図３に示すように、クリップ１４ｘは、原稿の固定だけではなく、原稿の位置合わせのためのガイドとしても利用できるように構成されている。具体的には、原稿押え部１４ｃのＹＺ平面に平行な側面の一つが原稿に接触（当接）して、原稿の位置を規制するように構成されている。原稿押え部１４ｃの先端部分のＹＺ平面に平行な面の断面は、ここでは、長方形状（図３参照）であるが、直角三角形状あるいは台形状等、他の形状であってもよい。ここで、図１１Ａは、原稿押え部１４ｃの先端部分の断面が直角三角形状である場合を示す図である。図１１Ｂは、原稿押え部１４ｃの先端部分の断面が台形状である場合を示す図である。図３、図１１Ａおよび図１１Ｂでは、原稿押え部１４ｃの図面右側（スキャン可能エリア側）の側面を、原稿の端部を当接させるのに適した角度、例えば、ガラス台１１の表面に垂直に構成している。このように構成し、原稿を挟まずにクリップ１４ｘを閉じ状態にしておけば、原稿の端部がスキャン不可エリア側に動くのを規制できる。これにより、原稿押え部１４ｃの側面を原稿の位置合わせのためのガイドとして利用できる。
【００６０】
スライドレバー接触部１４ｄは、スプリング１４ａからの力と、後述するスライドレバー１５ｘからの力を受ける。スライドレバー接触部１４ｄは、Ｘ軸方向に平行な柱状部材で構成されている。スライドレバー接触部１４ｄのスライドレバー１５に接する部分のＸＺ平面における断面は、円弧状に形成されている。
【００６１】
スライドレバー１５ｘは、Ｘ軸方向に移動可能な柱状の部材である。スライドレバー１５ｘは、一端部１５ｂがスライドレバー接触部１４ｄに接し、他端部１５ｃがスライドレバー移動部１６の下端部に接している。
【００６２】
スライドレバー１５ｘの一端部１５ｂは、断面の形状が直角三角形状に形成されており、先端に向かうほど幅が小さくなるように形成されている。スライドレバー１５ｘの一端部１５ｂは、斜辺がスライドレバー接触部１４ｄと接するように構成されている。このように構成することにより、スライドレバー１５ｘが図面Ｘ軸の正の方向に移動したときは、クリップ１４ｘが押し上げられて、原稿のガラス台１１への押し付けは行われない。スライドレバー１５ｘが図面Ｘ軸の負の方向に移動したときは、スライドレバー１５ｘはクリップ１４を押し上げず、クリップ１４は、スプリング１４ａにより、原稿に押し付けられる。
【００６３】
スライドレバー１５ｘの他端部１５ｃは、円弧状に形成されている。
【００６４】
さらに、スライドレバー１５ｘは、スライドレバー１５ｘを手動で動作させるときに用いる操作部１５ｄを備えている。操作部１５ｄは、Ｚ軸方向に伸びる四角柱状の部位であり、一部が筐体の上側に突出して、利用者が手でＸ軸方向に動かすことができるようになっている。
【００６５】
スライドレバー１５ｘには、スプリング１５ａにより、クリップ１４ｘから遠ざかる方向に力が加えられている。つまり、スライドレバー１５ｘには、スプリング１５ａにより、クリップ１４ｘが原稿を押えるのを妨げない方向に力が加えられている。
【００６６】
スライドレバー移動部１６は、ＸＺ平面の断面が五角形状の部材であり、Ｘ軸方向に平行に配置された底辺が、リッド２０に設けられた押え部材２３に接触可能に構成されている。また、スライドレバー移動部１６の底辺に接しない２辺の内の一辺が、スライドレバー１５の他端部１５ｃに接するように構成されている。当該一辺は、スライドレバー１５の他端部１５ｃに対し、斜辺となるように構成されている。このように構成することにより、スライドレバー移動部１６は、Ｚ軸の負の方向に移動したときは、Ｚ軸の負の方向の位置に応じて、スライドレバー１５ｘをＸ軸の正の方向に移動させるように作用する。スライドレバー移動部１６が下側（筐体の内側側）に位置するほど、スライドレバー１５ｘはＸ軸の正の方向に位置する。スライドレバー移動部１６は、Ｚ軸の正の方向に移動したときは、スライドレバー１５ｘを移動させない。つまり、スライドレバー１５ｘは、スプリング１５ａにより、Ｘ軸の負の方向に移動する。
【００６７】
スライドレバー移動部１６には、スプリング１６ａにより、上側に向かう方向に力が加えられている。つまり、スライドレバー移動部１６には、スプリング１６ａにより、スライドレバー１５ｘをＸ軸方向に押えず、クリップ１４が原稿を押えるのを妨げない方向に力が加えられている。
【００６８】
押え部材２３は、リッド２０のヒンジが設けられている側の端辺に設けられている。押え部材２３、スライドレバー移動部１６およびスライドレバー１５ｘで、離間部を構成している。押え部材２３は、スライドレバー移動部１６に接する面を有している。リッド２０が全開状態のとき、押え部材２３は、スライドレバー移動部１６を下向きに（Ｚ軸の負の方向に）押し下げる。リッド２０が全開状態〜半開状態のときは、押え部材２３が下側（筐体の内側側）に位置するほど、スライドレバー移動部１６は下側に位置する。リッド２０が半開状態〜閉状態のときは、押え部材２３は、スライドレバー移動部１６とは離れている。
【００６９】
以下、全開状態、半開状態、閉状態のそれぞれにおける各部材の動作について、図２〜図９を参照して説明する。
【００７０】
［１−２−１．全開状態〜半開状態］
図２〜図４は、全開状態における複合機１の状態を示している。
【００７１】
リッド２０が全開状態になると、図２および図３に示すように、スプリング１３の先端に設けられたロック用部材が、リッド角度保持機構３０のリッド側部材２２に設けられた切り欠き部２２ａに嵌め込まれる。
【００７２】
このとき、リッド２０の端部に設けられた押え部材２３が図面下側（Ｚ軸の負の方向）に押し下げられた状態となる。これにより、スライドレバー移動部１６には、スプリング１６ａが加えるＺ軸の正の方向の力よりも大きなＺ軸の負の方向の力が加えられ、Ｚ軸の負の方向に押し下げられた状態となる。
【００７３】
スライドレバー移動部１６がＺ軸の負の方向に押し下げられた状態となると、スライドレバー１５ｘには、スプリング１５ａが加えるＸ軸の負の方向の力よりも大きなＸ軸の正の方向の力が加えられる。これにより、スライドレバー１５ｘは、Ｘ軸の正の方向に移動した状態（押しのけられた状態）となる。
【００７４】
スライドレバー１５ｘがＸ軸の正の方向に移動した状態になると、スライドレバー１５ｘの一端部１５ｂがクリップ１４のスライドレバー接触部１４ｄの下に潜りこみ、クリップ１４ｘには、スプリング１４ａが加えるＺ軸の負の方向の力よりも大きなＺ軸の正の方向の力が加えられる。これにより、クリップ１４ｘは、Ｚ軸の正の方向に押し上げられる。これにより、原稿を原稿台に押し付けない状態となる。
【００７５】
なお、リッド２０が全開状態〜半開状態のときは、押え部材２３が下側（筐体の内側側）に位置するほど、クリップ１４ｘはガラス台１１から離間する方向に押し上げられる。言い換えると、本実施の形態では、クリップ１４ｘは、押え部材２３の半開状態に対応する位置と現在の位置との距離に応じた距離だけ、原稿台から離間する。
【００７６】
［１−２−２．半開状態］
図５および図６は、半開状態における複合機１の状態を示している。図５は、複合機１の構成を説明するための図であり、図１の複合機１をＹ軸の負の方向からみた図である。図６は、図１のＡＡ’断面を示す断面図である。
【００７７】
リッド２０が半開状態になると、図５および図６に示すように、スプリング１３の先端に設けられたロック用部材が、リッド角度保持機構３０のリッド側部材２２に設けられた切り欠き部２２ｂに嵌め込まれる。
【００７８】
このとき、リッド２０の端部に設けられた押え部材２３は、図面上側（Ｚ軸の正の方向）に移動する。スライドレバー移動部１６は、押え部材２３からの力が解除されるため、スプリング１６ａにより、Ｚ軸の正の方向に移動した状態となる。スライドレバー１５ｘは、スライドレバー移動部１６からの力が解除されるため、スプリング１５ａにより、Ｘ軸の負の方向に移動した状態となる。クリップ１４ｘは、スライドレバー１５ｘからの力が解除されるため、スプリング１４ａにより、押し下げられて原稿を固定する（ガラス台１１の表面に押さえ付ける）状態となる。
【００７９】
［１−２−３．半開状態〜閉状態］
図７〜図９は、閉状態における複合機１の状態を示している。図７は、複合機１の構成を説明するための図であり、図１の複合機１をＹ軸の負の方向からみた図である。図８は、図１のＡＡ’断面を示す断面図である。図９は、閉状態の複合機１をＺ軸方向からみた図である。
【００８０】
リッド２０が閉状態になると、図７および図８に示すように、スプリング１３の先端に設けられたロック用部材は、リッド角度保持機構３０のリッド側部材２２に設けられた切り欠き部２２ｂから外れる。
【００８１】
このとき、リッド２０の端部に設けられた押え部材２３は、さらに、図面上側（Ｚ軸の正の方向）に移動し、スライドレバー移動部１６から離間した状態となる。
【００８２】
スライドレバー１５およびクリップ１４ｘの状態は、半開状態の場合と同じ状態が維持される。つまり、スライドレバー１５ｘは、スプリング１５ａにより、Ｘ軸の負の方向に移動した状態となり、クリップ１４ｘは、スプリング１４ａにより、押し下げられて原稿を固定する状態となる。
【００８３】
［１−３．手動操作］
上述したように、スライドレバー１５ｘは、操作部１５ｄを備えている。
【００８４】
図１０は、リッド２０を取りはずした状態の複合機１を図１のＺ軸方向からみた図である。
【００８５】
例えば、リッド２０を取り外すと、リッド２０と共に押え部材２３も取り外される。このときは、原稿保持部４０は、リッド２０と連携させて、クリップ１４ｘおよびクリップ１４ｙを動かすことができない。本実施の形態では、スライドレバー１５ｘおよびスライドレバー１５ｙのそれぞれに、手動で操作するための操作部１５ｄを設けているので、リッド２０を取り外した状態であっても、クリップ１４ｘおよびクリップ１４ｙを動かして、原稿を原稿台に押し付けて固定すること、および原稿を原稿台に押し付けないようにすることが可能になる。
【００８６】
ここで、リッド２０が取り外された状態では、スライドレバー１５ｘによりおよびスライドレバー１５ｙにより、クリップ１４ｘおよびクリップ１４ｙは、ガラス台１１に押し付けられた状態となっている。
【００８７】
このとき、スライドレバー１５ｘの操作部１５ｄは、図１０に示すように、Ｘ軸の負の方向、原稿をセットするユーザからみて奥側に位置している。スライドレバー１５ｙの操作部１５ｄは、図１０に示すように、Ｙ軸の負の方向、図面左側に位置している。
【００８８】
このとき、図１のように、スライドレバー１５ｘの操作部１５ｄをＸ軸の正の方向に移動させると、スライドレバー１５ｘの一端部１５ｂがクリップ１４のスライドレバー接触部１４ｄの下に潜りこみ、クリップ１４ｘを押し上げる。これにより、クリップ１４ｘは、ガラス台１１に押し付けられなくなり、ガラス台１１から離間した状態になる。
【００８９】
同様に、スライドレバー１５ｙの操作部１５ｄをＹ軸の正の方向に移動させると、クリップ１４ｙは、ガラス台１１に押し付けられなくなり、ガラス台１１から離間した状態になる。
【００９０】
以上より、スライドレバー１５ｘおよびスライドレバー１５ｙの両方を操作すれば、クリップ１４ｘおよびクリップ１４ｙの両方がガラス台１１から離間し、原稿をセットすることが可能になる。また、原稿をセットした状態で、スライドレバー１５ｘおよびスライドレバー１５ｙの両方を図１０に示す状態に移動させれば、クリップ１４ｘおよびクリップ１４ｙにより、原稿をガラス台１１に押し付けて固定することができる。また、原稿が固定された状態で、スライドレバー１５ｘおよびスライドレバー１５ｙの両方を図１に示す状態に移動させれば、原稿をセットし直すことが可能になる。
【００９１】
操作部１５ｄを設けることで、手動による原稿の固定およびその解除が可能になる。
【００９２】
［１−４．ガイド機能］
上述したように、本実施の形態では、半開状態（ガラス台１１の表面とリッド２０との角度が４５度）〜閉状態でクリップ１４がガラス台１１に押し当てられる。このとき、クリップ１４ｘとガラス台１１とは、間に原稿が入り込まない程度に隙間無く接する。同様に、クリップ１４ｙとガラス台１１とは、間に原稿が入り込まない程度に隙間無く接する。
【００９３】
このように構成することで、クリップ１４ｘのＸＺ平面に垂直な面とクリップ１４ｙのＸＹ平面に垂直な面とを、原稿の位置を規制するためのガイド部として利用することが可能になる。
【００９４】
なお、クリップ１４ｘとガラス台１１とは、必ずしも垂直に接している必要は無い。同様に、クリップ１４ｙとガラス台１１とは、必ずしも垂直に接している必要は無い。クリップ１４ｘおよびクリップ１４ｙとガラス台１１とは、原稿の端部に接触して、原稿の位置を規制できる角度で接していればよい。
【００９５】
この場合には、図３等に示すスキャン可能エリアに原稿全体を載せることができるため、端部まで原稿に表された画像をスキャンすることが可能になる。また、クリップ１４のガイド機能により、原稿を正しくセットすることが容易になる。
【００９６】
［１−５．効果等］
本実施の形態のイメージスキャナ装置では、クリップ１４により原稿をガラス台１１に押し付けて固定するので、原稿の位置ずれ、浮き等を防止することができる。これにより、原稿のスキャン品質の悪化等を防止することができる。
【００９７】
さらに、本実施の形態のイメージスキャナ装置では、リッド２０の状態に連動して自動的に、原稿をガラス台１１に押し付けて固定すること、および原稿の固定の解除を行う。これにより、本実施の形態のイメージスキャナ装置では、手動でスライドレバー１５を操作する必要がないため、原稿をセットする際の作業量を低減でき、操作性を向上させることが可能になる。
【００９８】
また、上記実施の形態のイメージスキャナ装置では、クリップ１４ｘの長手方向の長さを、ガラス台１１のＸ軸方向の長さ（スキャン可能エリアのＸ軸方向の長さ＋スキャン不可エリアのＸ軸方向の長さ）に設定する。同様に、クリップ１４ｙの長手方向の長さを、ガラス台１１のＹ軸方向の長さ（スキャン可能エリアのＹ軸方向の長さ＋スキャン不可エリアのＹ軸方向の長さ）に設定する。これにより、原稿を載せる位置の規制を低減することができる。
【００９９】
さらに、上記実施の形態のイメージスキャナ装置では、原稿の端部を原稿のスキャンを行わない第二領域で押えるように構成している。このように構成した場合には、クリップ１４ｘおよび１４ｙを、リッド２０が閉状態の場合に、クッション部材２１の外側に配置させることが可能になる。つまり、リッド２０が閉状態であるときに、クリップ１４ｘおよびクリップ１４ｙが、クッション部材２１と原稿との間に位置しない。ここで、特許文献１および２の場合は、原稿を固定する固定部材がクッション部材２１と原稿（ガラス台１１）との間に位置するため、固定部材の厚みによりリッド２０が浮き上がり、リッド２０と本体部１０との間に隙間が生じる。リッド２０と本体部１０との間に隙間が生じると、スキャン時に外光が入り、画像のスキャン品質が低下する可能性がある。
【０１００】
これに対し、上記実施の形態のイメージスキャナ装置では、上述したように、リッド２０が閉状態であるときに、クリップ１４ｘおよびクリップ１４ｙを、クッション部材２１と原稿との間に位置しないように配置することが可能になる。この場合には、リッド２０と本体部１０との間に隙間が生じるのを防止でき、外光によるスキャン品質の低下を防止することが可能になる。
【０１０１】
（他の実施の形態）
以上、本発明の実施の形態に係るイメージスキャナ装置について説明したが、本発明は、この実施の形態に限定されるものではない。
【０１０２】
（１）例えば、上記実施の形態では、リッド角度保持機構３０は、リッド２０を、全開状態と半開状態との２段階で保持するように構成したが、これに限るものではない。さらに複数段階で保持するように構成してもよい。この場合は、所定の段階と全開状態との間の状態では、原稿をガラス台１１に押し付け、所定の段階と閉状態の間の状態では、原稿のガラス台１１への押し付けを解除するように構成してもよい。また、リッド２０を無段階に保持可能に構成してもよい。
【０１０３】
（２）また、例えば、上記実施の形態では、リッド２０とガラス台１１の表面との角度が６０度のときを全開状態とし、４５度のときを半開状態としたが、これに限るものではない。言い換えると、上記実施の形態では、リッド２０とガラス台１１の表面との角度が０〜４５度のときに原稿をガラス台１１に押し付け、４５〜６０度のときに原稿のガラス台１１への押し付けを解除する場合について説明したが、これに限るものではない。
【０１０４】
全開状態および半開状態の角度の設定は任意である。
【０１０５】
また、例えば、全開状態のときのみ原稿のガラス台１１への押し付けを行わないように構成し、リッド２０とガラス台１１との角度が全開状態未満の場合は、原稿をガラス台１１に押し付けるように構成しても構わない。言い換えると、全開状態以外の状態を、半開状態〜閉状態として設定してもよい。
【０１０６】
（３）上記実施の形態では、手動でクリップ１４ｘおよび１４ｙを動かす手動機能（操作部１５ｄ）を備えたが、これに限るものではない。
【０１０７】
例えば、イメージスキャナ装置は、手動機能を備えない構成であってもかまわない。また、例えば、操作部１５ｄではなく、スライドレバー移動部１６を下側に押し込む部材を設けてもよい。この場合、当該部材を下側に押し込むことで、原稿のガラス台１１への押し付けを解除することが可能になる。
【０１０８】
（４）上記実施の形態では、クリップ１４ｘおよび１４ｙがガイド機能を備えるが、これに限るものではない。
【０１０９】
例えば、クリップ１４ｘおよび１４ｙは、ガイド機能を備えなくてもかまわない。また、例えば、クリップ１４ｘおよび１４ｙの先端部の面全体でガラス台１１に接している必要は無く、ガイド機能を果たせる程度に、例えば、各辺２点以上の領域で、ガラス台１１に接していればよい。
【０１１０】
（５）上記実施の形態では、クリップ１４ｘおよびクリップ１４ｙの２つのクリップを設ける場合について説明したが、何れか一方のみを設けるように構成してもよい。また、クリップ１４ｘはガラス台１１の左辺に、クリップ１４ｙはガラス台１１の上辺に設けたが、これに限るものではない。クリップ１４ｘをガラス台１１の右辺に設けても構わない。クリップ１４ｙをガラス台１１の下辺に設けても構わない。
【０１１１】
また、上記実施の形態では、クリップ１４ｘおよびクリップ１４ｙの両方で原稿をガラス台１１に押し付ける場合について説明したが、これに限るものではない。クリップ１４ｘおよびクリップ１４ｙの一方で原稿をガラス台１１に押し付けるようにしてもよい。
【０１１２】
（６）さらに、上記実施の形態では、クリップ１４ｘおよびクリップ１４ｙの長尺状の面全体で原稿をガラス台１１に押し付けるように構成したが、これに限るものではない。原稿をガラス台１１に押し付ける部分は、ガラス台１１の辺の一部、例えば、２箇所に設けられていても構わない。あるいは、原稿をガラス台１１に押し付ける部分は、所定の間隔（１ｃｍ毎等）で設けられていても構わない。
【０１１３】
さらに、上記実施の形態では、クリップ１４ｘおよびクリップ１４ｙの原稿をガラス台１１に押し付ける部分は、平面である場合を例に説明したが、楕円形状等、他の形状であっても構わない。
【０１１４】
（７）上記実施の形態では、原稿台として、ガラス台１１を例に説明したが、これに限るものではない。原稿台は、光源からの光を透過する部材であればよい。
【０１１５】
（８）また、上記実施の形態では、イメージスキャナ装置は、複合機１に用いられる場合について説明したが、これに限られるものではない。スキャナあるいは複写機等、他の画像処理装置に用いられても構わない。
【産業上の利用可能性】
【０１１６】
上記実施の形態のイメージスキャナ装置は、複写機、スキャナ、あるいは、これらの機能を複数備えた複合機等の画像処理装置に用いられるイメージスキャナ装置として有用である。
【符号の説明】
【０１１７】
１      複合機
１０    本体部
１１    ガラス台
１２    センサー部
１３、１４ａ、１５ａ、１６ａ    スプリング
１４、１４ｘ、１４ｙ  クリップ
１４ｂ  クリップ本体部
１４ｃ  原稿押え部
１４ｄ  スライドレバー接触部
１５、１５ｘ、１５ｙ  スライドレバー
１５ｂ  一端部
１５ｃ  他端部
１５ｄ  操作部
１６    スライドレバー移動部
２０    リッド
２１    クッション部材
２２    リッド側部材
２２ａ、２２ｂ  切り欠き部
２３    押え部材
３０    リッド角度保持機構
４０    原稿保持部
４０ｘ  第一原稿保持部
４０ｙ  第二原稿保持部
【図１】
2015125178.tif 000003
【図２】
2015125178.tif 000004
【図３】
2015125178.tif 000005
【図４】
2015125178.tif 000006
【図５】
2015125178.tif 000007
【図６】
2015125178.tif 000008
【図７】
2015125178.tif 000009
【図８】
2015125178.tif 000010
【図９】
2015125178.tif 000011
【図１０】
2015125178.tif 000012
【図１１Ａ】
2015125178.tif 000013
【図１１Ｂ】
2015125178.tif 000014